(57)【特許請求の範囲】
【請求項１】
刈り刃ハウジングの内部で刈り刃ハウジング上下向き軸芯まわりに回転駆動されるブレード本体と、前記ブレード本体の先端部からブレード本体の横幅方向の後向きで、かつブレード本体上方向きに突出した起風翼とを備えた草刈装置用のカッターブレードであって、
前記起風翼を前記ブレード本体に対して折り曲げ線で立ち上げ屈折させ、
前記折り曲げ線を、一端がブレード本体の先端に至るように、かつブレード本体先端側に至るほどブレード本体の横幅方向での中心線により近づく状態に前記中心線に対して傾斜するように設定し、
前記起風翼のブレード本体先端側とは反対側の部位と前記ブレード本体の横幅方向後端側の部位とにわたり、前記ブレード本体の横幅方向の後向きに開口する切欠き部を設け、
前記切欠き部の内側縁のうちの前記折り曲げ線の他端との交差箇所及び前記交差箇所を挟んで切欠き部内外側に位置する部位の形状がブレード本体横幅方向の直線形状となり、
前記内側縁のうちの前記交差箇所より切欠き部内側寄りの部位の形状がブレード本体横方向内側に凸の湾曲形状となり、
前記内側縁のうちの前記切欠き部内側寄りの部位から刈り刃ハウジング上下向き軸芯側端に向う部位の形状が直線形状となるように、前記切欠き部を形成してある草刈装置用のカッターブレード。
【請求項２】
前記ブレード本体の先端に位置する前記折り曲げ線の一端が前記ブレード本体の中心線より前記ブレード本体の横幅方向後側寄りの箇所に位置するように、前記折り曲げ線を配備してある請求項１記載の草刈装置用のカッターブレード。
【発明の詳細な説明】
【技術分野】
【０００１】
本発明は、刈り刃ハウジングの内部で刈り刃ハウジング上下向き軸芯まわりに回転駆動されるブレード本体と、前記ブレード本体の先端部からブレード本体の横幅方向の後向きで、かつブレード本体上方向きに突出した起風翼とを備えた草刈装置用のカッターブレードに関する。
【背景技術】
【０００２】
上記したカッターブレードは、起風翼によって刈り室に風を発生させ、この風によって草を切断しやすいように起立させたり、刈り草を刈り刃ハウジングの排出口に搬送したりする。
この種のカッターブレードとして、従来、たとえば特許文献１に記載されたものがあった。
特許文献１には、カッターブレードとしてのロータリカッターブレードが記載されている。このロータリカッターブレードは、ブレード本体としての刀身部と、起風翼としての反らせ片とを備えている。
【０００３】
【特許文献１】実開平４−１２７１１９号公報（段落〔００１０〕、図２）
【発明の開示】
【発明が解決しようとする課題】
【０００４】
この種のカッターブレードは、起風翼がブレード本体に対して立ち上がるよう折り曲げ成形した屈折板によって構成される。これにより、起風翼をブレード本体の横幅方向での中心線に対して平行な折り曲げ線でブレード本体に対して立ち上げ屈折させると、起風翼の起風性能が低下しがちである。
つまり、この種のカッターブレードでは、ブレード本体および起風翼と、刈り室の側壁（以下、刈り室側壁と称する。）との間の隙間が大きくなると、この隙間からの風漏れが大きくなる。このため、起風翼の刈り室側壁に面する側辺を、起風翼のブレード本体からの延出方向に対して傾斜させると、起風翼の刈り室側壁に面する側辺と起風翼のブレード本体からの延出方向での端辺との交点からブレード本体の回転軸芯までの距離を、ブレード本体の先端からブレード本体の回転軸芯までの距離と等しくまたはほぼ等しくすることができ、起風翼の刈り室側壁に面する側辺の全体を刈り室側壁に接近させて起風翼と刈り室側壁との隙間を極力小さくすることができる。
しかし、この場合、起風翼の刈り室側壁に面する側辺とこの側辺に対向する側辺との間隔が、起風翼のブレード本体からの延出端に至るほど小になり、すなわち起風翼が先細り形になり、起風翼のブレード本体からの延出方向での長さを長くしても、起風翼の起風作用面の大きさが、起風翼の長さの割には小さくなる。
【０００５】
本発明の目的は、風の作用効率が高い状態で起風させることができながら、優れた送風性能を備えさせ得る草刈装置用のバーブレードを提供することにある。
【課題を解決するための手段】
【０００６】
本第１発明は、刈り刃ハウジングの内部で刈り刃ハウジング上下向き軸芯まわりに回転駆動されるブレード本体と、前記ブレード本体の先端部からブレード本体の横幅方向の後向きで、かつブレード本体上方向きに突出した起風翼とを備えた草刈装置用のカッターブレードにおいて、
前記起風翼を前記ブレード本体に対して折り曲げ線で立ち上げ屈折させ、
前記折り曲げ線を、一端がブレード本体の先端に至るように、かつブレード本体先端側に至るほどブレード本体の横幅方向での中心線により近づく状態に前記中心線に対して傾斜するように設定し、
前記起風翼のブレード本体先端側とは反対側の部位と前記ブレード本体の横幅方向後端側の部位とにわたり、前記ブレード本体の横幅方向の後向きに開口する切欠き部を設け、
前記切欠き部の内側縁のうちの前記折り曲げ線の他端との交差箇所及び前記交差箇所を挟んで切欠き部内外側に位置する部位の形状がブレード本体横幅方向の直線形状となり、
前記内側縁のうちの前記交差箇所より切欠き部内側寄りの部位の形状がブレード本体横方向内側に凸の湾曲形状となり、
前記内側縁のうちの前記切欠き部内側寄りの部位から刈り刃ハウジング上下向き軸芯側端に向う部位の形状が直線形状となるように、前記切欠き部を形成してある。
【０００７】
本第１発明の構成によると、起風翼の刈り室側壁に面する側辺とこれに対向する側辺との間隔を、起風翼のブレード本体からの延長方向での全長にわたって同一にして、起風翼に大きな起風作用面を備えさせても、起風翼と刈り室の側壁との隙間を小にすることができる。
つまり、起風翼がブレード本体に対して立ち上がる折り曲げ線がブレード本体の前記中心線に対して傾斜していることにより、起風翼の刈り室側壁に面する側辺とブレード本体からの延出方向での端の辺との交点からブレード本体の回転軸芯までの距離を、ブレード本体の先端からブレード本体の回転軸芯までの距離に等しくあるいはほぼ等しくし、起風翼の刈り室の側壁に面する側辺の全体を刈り室の側壁に接近させて起風翼と刈り室の側壁との隙間を極力小にすることができる。
【０００８】
したがって、起風翼と刈り室の側壁との隙間での風漏れを少なくして起風翼によって発生した風を効率よく作用させることができるのみならず、起風翼の起風作用面を大にして起風翼に優れた送風性能を具備させることができ、風の作用効率の面からも起風翼の送風性能の面からも草の起立や搬送を性能よく行わせ得る高品質のカッターブレードを得ることができる。
本第２発明では、前記ブレード本体の先端に位置する前記折り曲げ線の一端が前記ブレード本体の中心線より前記ブレード本体の横幅方向後側寄りの箇所に位置するように、前記折り曲げ線を配備してある。
【発明を実施するための最良の形態】
【０００９】
以下、本発明の実施例を図面に基づいて説明する。
図１は、乗用型草刈機の全体側面図である。図２は、乗用型草刈機の全体平面図である。これらの図に示すように、この乗用型草刈機は、左右一対の操向操作自在な前車輪１，１と、左右一対の駆動自在な後車輪２，２とによって自走するよう構成され、かつ車体後部に設けた運転座席３と、この運転座席３の前方に設けたステアリングホィール４とを有した運転部５が装備された自走車を備え、この自走車の車体フレーム６の下部にリンク機構７を介して連結された草刈装置２０を備えている。
【００１０】
この乗用型草刈機は、草刈り作業を行う。
すなわち、自走車は、車体前部に設けたエンジン８を備え、このエンジン８の出力軸８ａの駆動力を伝動ベルト９によって静油圧式無段変速装置１０に伝達して前進駆動力と後進駆動とに変換し、この前進駆動力および後進駆動力を左右一対の後車輪２，２に伝達する。
【００１１】
前記リンク機構７は、前記運転部５に設けた昇降レバー１１によって車体フレーム６に対して上下に揺動操作され、草刈装置２０を接地ゲージ輪２１が地面に接地した下降作業状態と、前記接地ゲージ輪２１が地面から上昇した上昇非作業状態とに昇降操作する。草刈装置２０を下降作業状態にして自走車を走行させると、草刈装置２０は、前記エンジン８の前記出力軸８ａからの駆動力によって駆動され、刈り刃ハウジング２２の内部に車体横方向に並んで位置する二枚のカッターブレード２３によって草刈りを行い、刈り草を刈り刃ハウジング２２から外部に放出する。
【００１２】
図３は、前記草刈装置２０の平面図である。図４は、前記草刈装置２０の横断平面図である。これらの図に示すように、前記草刈装置２０は、前記刈り刃ハウジング２２と、本発明の実施例に係る前記二枚のカッターブレード２３，２３とを備える他、前記刈り刃ハウジング２２の上面側に設けた入力ベルト２４およびブレード駆動ベルト２５を備えている。
【００１３】
前記二枚のカッターブレード２３，２３は、前記刈り刃ハウジング２２の内部に刈り刃ハウジング横方向（車体横方向）に並べて設けた二つの刈り室２６，２６それぞれに一枚ずつ位置する配置で、回転支軸２７を介して刈り刃ハウジング２２の天板２２ａに回転自在に支持されている。
【００１４】
前記各刈り室２６は、刈り刃ハウジング２２の天板２２ａおよび側壁２２ｂと、刈り刃ハウジング２２の内部に取り付けたガイド板２８とによって形成され、刈り刃ハウジング上下方向視でほぼ円形になっている。刈り刃ハウジング２２の前記側壁２２ｂと、前記ガイド板２８とは、刈り室２６の側壁になっている。一方の刈り室２６は、刈り刃ハウジング２２の横一端部で刈り刃ハウジング２２の横外側に向かって開口した排出口２９を備えている。一対の刈り室２６，２６は、刈り刃ハウジング２２の横方向での中央部で連通し合っている。
【００１５】
各刈り室２６のカッターブレード２３は、これの長手方向での中央部で前記回転支軸２７に一体回転自在に支持された一枚のブレード本体３０と、このブレード本体３０の両先端部からブレード本体３０の回転方向後方側に延出した起風翼３１とを備えて構成してある。前記ブレード本体３０は、ブレード本体３０の両先端部のブレード本体３０の横幅方向での一端側、すなわちブレード本体３０の回転方向前方側に設けた刃部３２を備えている。
【００１６】
図１と図３とに示すように、前記入力ベルト２４は、エンジン８の前記出力軸８ａに設けた出力プーリ８ｂと、刈り刃ハウジング２２の上面側に設けた入力プーリ３３とにわたって巻回されている。前記ブレード駆動ベルト２５は、図９に示す如く前記入力プーリ３３に連結筒軸３４によって連動された伝動プーリ３５と、各カッターブレード２３の回転支軸２７に一体回転自在に設けたブレード駆動プーリ３６と、前記天板２２ａに遊転自在に支持された二つのガイドプーリ３７と、前記入力プーリ３３の支軸３８にテンションアーム３９を介して支持されたテンションプーリ４０とに巻回されており、前記入力プーリ３３の駆動力を各カッターブレード２３の回転支軸２７に伝達する。
【００１７】
すなわち、草刈装置２０は、エンジン８の出力軸８ａの駆動力を入力ベルト２４とブレード駆動ベルト２５とによって各カッターブレード２３の回転支軸２７に伝達して二枚のカッターブレード２３，２３をそれぞれの回転支軸２７が備える刈り刃ハウジング上下向き軸芯Ｐ（以下、回転軸芯Ｐと呼称する。）まわりに回転駆動し、各刈り室２６において、カッターブレード２３の二つの刃部３２，３２によって草刈りを行う。このとき、カッターブレード２３の二つの起風翼３１，３１によって旋回風を発生させ、この風によって草を切断しやすいよう起立させ、かつ刈り草を刈り刃ハウジング２２の横一端側に位置する前記排出口２９に搬送してこの排出口２９から刈り刃ハウジング２２の外部に放出する。
【００１８】
図７は、前記カッターブレード２３の一端側での平面図である。図８は、前記カッターブレード２３の側面図である。これらの図と図４とに示すように、カッターブレード２３は、ブレード本体３０の両先端部に位置する起風翼３１がブレード本体３０に対して折り曲げ線４１で立ち上がるよう折り曲げ成形した一枚の屈折板によって構成してある。
つまり、ブレード本体３０の両先端部に位置する起風翼３１は、ブレード本体３０に対して折り曲げ線４１で立ち上げ屈折されて、ブレード本体３０からブレード本体３０の横幅方向の後向き（ブレード本体３０の回転方向後方側に向いた向き）で、かつブレード本体上方向きに突出している。起風翼３１のブレード本体先端側とは反対側の部位とブレード本体３０の横幅方向後端側の部位とにわたって切欠き部２３Ａを設けてある。切欠き部２３Ａの内側縁のうちの折り曲げ線４１の他端との交差箇所及び交差箇所を挟んで切欠き部内外側に位置する部位Ｓ１の形状がブレード本体横幅方向の直線形状となり、切欠き部２３Ａの内側縁のうちの折り曲げ線４１の他端との交差箇所より切欠き部内側寄りの部位Ｓ２の形状がブレード本体横方向内側に凸の湾曲形状となり、切欠き部２３Ａの内側縁のうちの切欠き部内側寄りの部位Ｓ２から刈り刃ハウジング上下向き軸芯側端に向う部位Ｓ３の形状が直線形状となっている。
【００１９】
各起風翼３１の前記折り曲げ線４１を、これの一端４１ａがブレード本体３０の先端３０ａに至るように、かつブレード本体先端側に至るほどブレード本体３０の横幅方向での中心線４２により近づく状態に前記中心線４２に対して傾斜するように設定し、前記刈り室２６の側壁としての前記側壁２２ｂおよびガイド板２８と起風翼３１との隙間を、起風翼３１による発生風の漏れが発生しにくいよう小隙間に構成してある。ブレード本体３０の先端３０ａは、ブレード本体３０の横幅方向に沿った直線形状になっている。
すなわち、ブレード本体３０の両先端部に位置する起風翼３１の刈り室２６の側壁に面する側辺３１ａと起風翼３１のブレード本体３０からの延出方向での端辺３１ｂとの交点３１ｃからブレード本体３０の回転軸芯Ｐまでの距離Ｌ１を、ブレード本体３０の先端３０ａからブレード本体３０の回転軸芯Ｐまでの距離Ｌ２と等しくしてある。
【００２０】
図３，５に示すように、前記草刈装置２０は、前記刈り刃ハウジング２２の前記排出口２９が位置する横端部に重ね合わせて設けた外側放出ガイド５０と内側放出ガイド５１とを備えている。
【００２１】
前記外側放出ガイド５０と前記内側放出ガイド５１とは、刈り刃ハウジング２２の上面側に設けたブラケット５２と、外側放出ガイド５０の連結アーム部５０ａと、内側放出ガイド５１の連結部５１ａとに装着された一本の支軸５３を介して前記ブラケット５２に枢支されており、前記支軸５３の軸芯まわりに上昇格納状態と下降使用状態とに上下揺動する。前記外側放出ガイド５０は、樹脂素材の成型によって作製してあり、樹脂製ガイドになっている。外側放出ガイド５０は、前記ブラケット５２からの突出長さが内側放出ガイド５１の前記ブラケット５２からの突出長さよりも長い大型になっている。前記内側放出ガイド５１は、鋼板によって作製してあり、鋼板製ガイドになっている。
【００２２】
図５は、草刈装置２０の刈り草放出部の第一作業状態での縦断面図である。この図に示すように、内側放出ガイド５１を下降揺動操作し、前記連結部５１ａが刈り刃ハウジング２２の天板２２ａに当接して受け止め支持されると、内側放出ガイド５１は、刈り刃ハウジング２２から横外側に向かって延出した下降使用状態になる。外側放出ガイド５０を下降揺動操作し、外側放出ガイド５０の内面が内側放出ガイド５１の上面に当接して受け止められると、外側放出ガイド５０は、刈り刃ハウジング２２から横外側に向かって延出した下降使用状態になる。すると、草刈装置２０の刈り草放出部は、第一作業状態になり、刈り刃ハウジング２２の排出口２９から放出された刈り草を、内側放出ガイド５１と外側放出ガイド５０とによって刃ハウジング２２の横外側に拡散しないで纏まって飛ぶよう放出案内する。このとき、内側放出ガイド５１は、外側放出ガイド５０に対するカバーとなり、外側放出ガイド５０の刈り草などとの接触による摩滅を防止する。内側放出ガイド５１は、スプリング５４によって下降使用状態に付勢され、外側放出ガイド５０は、スプリング５５によって下降使用状態に付勢される。
【００２３】
図６は、草刈装置２０の刈り草放出部の第二作業状態での縦断面図である。この図に示すように、外側放出ガイド５０を上昇揺動操作し、前記連結アーム部５０ａと前記ブラケット５２とにわたって設けたデテント型式の位置決め機構（図示せず）が作用状態になると、外側放出ガイド５０は、刈り刃ハウジング２２に対して起立した上昇格納状態になる。内側放出ガイド５１を、前記下降使用状態にしておく。すると、草刈装置２０の刈り草放出部は、第二作業状態になり、刈り刃ハウジング２２の排出口２９から放出された刈り草を、内側放出ガイド５１によって刃ハウジング２２の横外側に飛ぶよう放出案内する。このとき、放出ガイドの排出口２９から突出長さが、前記第一作業状態でのその突出長さよりも短く、放出ガイドの樹木などに対する当たりを回避しやすい状態で作業できる。
【００２４】
図３に示すように、前記草刈装置２０は、刈り刃ハウジング２２の上面側の前記入力プーリ３３の付近に設けたベルト押さえ５８を備えている。
図９，１０に示すように、前記ベルト押さえ５８は、前記入力ベルト２４の入力プーリ３３からの離脱を防止するよう入力ベルト２４にストップ作用する一対のストッパー部５９ａ，５９ａを有したベルト押さえ本体５９と、このベルト押さえ本体５９の中間部から延出した取り付けアーム６０と、前記ベルト押さえ本体５９の一端部から延出した周り止めアーム６１とを備えている。
【００２５】
前記ベルト押さえ５８は、前記取り付けアーム６０を前記入力プーリ３３の前記支軸３８の上端部に連結ねじ６２によって止着させ、前記周り止めアーム６１を、刈り刃ハウジング２２の係合孔に係止させることによって装着状態になる。前記周り止めアーム６１は、ベルト押さえ本体５９が前記連結ねじ６２の軸芯まわり回転することを防止する。
【００２６】
前記自走車は、運転部５の搭乗空間と仕切り壁板６５（図１参照）によって仕切られたエンジン収容室に設けた電源用のバッテリー６６を備えている。前記バッテリー６６は、前記エンジン８よりも後方側に位置している。
【００２７】
図１１は、バッテリー収容部の平面図である。図１２は、バッテリー収容部の側面図である。これらの図に示すように、前記バッテリー６６は、車体フレーム６に支持されたバッテリー載置板６７に載置され、バッテリー６６の上面に載置された押さえ板６８によって前記バッテリー載置板６７に固定される。
前記押さえ板６８は、これの一端部を切り欠き６８ａによって車体側の固定板６９に係止させ、押さえ板６８の他端側に装着された支持ロッド７０が備えるロックねじ７１を締め込み操作することにより、バッテリー６６の上面に締め付けられてバッテリー６６をバッテリー載置板６７に押し付け固定する。
この押さえ板６８は、前記ロックねじ７１による締め付けが解除された場合でも、バッテリー６６の上面に載ったままとなり、バッテリー６６から不用意に脱落しない。
【００２８】
図２に示すように、前記自走車は、運転部床の前端部に車体横方向に並べて設けた変速ペダル７５とブレーキペダル７６とを備えている。
【００２９】
図１３は、前記変速ペダル７５と前記ブレーキペダル７６との支持構造の断面図である。この図に示すように、前記変速ペダル７５は、この変速ペダル７５のアーム部７５ａに一端部が一体回転自在に連結された支点軸７７を介して左右一対の支持体７８，７８に支持されている。前記左右一対の支持体７８，７８は、車体側に固定されている。
前記変速ペダル７５は、前記支点軸７７が備える車体横向き軸芯のまわりに中立位置から車体前方側に踏み込み操作されることにより、前記静油圧式無段変速装置１０を前進側に変速操作する。前記変速ペダル７５は、前記車体横向き軸芯まわりに中立位置から車体後方側に踏み込み操作されることにより、前記静油圧式無段変速装置１０を後進側に変速操作する。
【００３０】
前記ブレーキペダル７６は、前記支点軸７７に相対回転自在に取り付けられた折り曲げ板金で成るボス部材７９と、前記支点軸７７とを介して前記左右一対の支持体７８，７８に支持されている。
前記ブレーキペダル７６は、前記支点軸７７が備える車体横向き軸芯まわりに踏み込み操作されることにより、走行用ブレーキ（図示せず）を入り状態に操作して前記左右一対の後車輪２，２にブレーキを掛ける。
【図面の簡単な説明】
【００３１】
【図１】乗用型草刈機の全体側面図
【図２】乗用型草刈機の全体平面図
【図３】草刈装置の平面図
【図４】草刈装置の横断平面図
【図５】刈り草放出部の第一作業状態での縦断面図
【図６】刈り草放出部の第二作業状態での縦断面図
【図７】カッターブレードの一端側での平面図
【図８】カッターブレードの側面図
【図９】草刈装置の入力部の縦断面図
【図１０】ベルト押さえの斜視図
【図１１】バッテリー収容部の平面図
【図１２】バッテリー収容部の側面図
【図１３】変速ペダルとブレーキペダルの支持構造の断面図
【符号の説明】
【００３２】
２２        刈り刃ハウジング
２３Ａ 切欠き部
３０                ブレード本体
３０ａ              ブレード本体の先端
３１                起風翼
４１                折り曲げ線
４２                中心線
Ｐ                  刈り刃ハウジング上下向き軸芯
Ｓ１，Ｓ２，Ｓ３ 切欠き部の内側縁の部位
【図１】
0005199709.tif 000002
【図２】
0005199709.tif 000003
【図３】
0005199709.tif 000004
【図４】
0005199709.tif 000005
【図５】
0005199709.tif 000006
【図６】
0005199709.tif 000007
【図７】
0005199709.tif 000008
【図８】
0005199709.tif 000009
【図９】
0005199709.tif 000010
【図１０】
0005199709.tif 000011
【図１１】
0005199709.tif 000012
【図１２】
0005199709.tif 000013
【図１３】
0005199709.tif 000014